(57)【要約】【課題】スパイラルロッドと捻りコイルばねによりトルクを発生させ、上げ下げ障子を任意の位置に保持できるようにしたバランサー装置において、上記捻りコイルばねの巻き込み量を調整する調整装置であって、剛性を強くし、微少量ずつ巻き戻すことができるようしたバランサー装置の巻き込み調整装置を提供する。【解決手段】バランサー装置４のバランサーケース５内には、捻りコイルばね１８とスパイラルロッド８が収納され、スパイラルロッドは上げ下げ障子２に連結され、バランサーケースは窓枠に固定した調整装置１３の主軸１５に連結している。主軸１５には、歯車２３とラチェット歯２６が形成され、この歯車２３には巻き込み軸３３の歯車３２が噛み合っている。主軸のラチェット歯には、一対のストップ駒４０，４１のラチェット歯３９が複数枚噛み合っている。ストップ駒を巻き戻し軸で交互に移動させると、上記捻りコイルばねは微少量ずつ巻き戻される。【選択図】図４
2010112015.tif 000002
【特許請求の範囲】
【請求項１】
筒状のバランサーケースの先端側にスリットを有する回転ガイドを回転可能に設け、該回転ガイドのスリットに螺合状態で貫通するねじ部を形成したスパイラルロッドを上記バランサーケースから引き出し可能に収納し、該スパイラルロッドとバランサーケースの相対的な移動に伴って巻き込み、巻き戻しされるようバランサーケース内に収納した捻りコイルばねの一端を上記バランサーケースの基端側に固定し他端を上記回転ガイドに連結して上げ下げ障子の重量とバランスする保持力を発生するようにしたバランサー装置において、上記捻りコイルばねの巻き込み、巻き戻しを行う巻き込み調整装置であって、巻き込み調整装置の本体内に上記バランサーケース若しくはスパイラルロッドに連結される主軸を設け、該主軸に歯車とラチェット歯を形成し、該主軸の歯車に噛み合う歯車を有する巻き込み軸を上記主軸と直交する方向に設けるとともに本体の外方から該巻き込み軸を回転操作できるよう巻き込み軸端に操作部を設け、上記主軸のラチェット歯の複数枚に噛み合うラチェット歯を有する一対のストップ駒を形成し、該ストップ駒をそのラチェット歯が上記主軸のラチェット歯に噛み合う方向に付勢するとともに各ストップ駒のラチェット歯が円周方向にずれて主軸のラチェット歯に噛み合うよう該ストップ駒を上記主軸の周囲に配置し、上記一方のストップ駒のラチェット歯が主軸のラチェット歯に噛み合いつつ他方のストップ駒のラチェット歯が主軸のラチェット歯から離れるようストップ駒を交互に移動させる巻き戻し軸を設け、該巻き戻し軸端に本体の外方から該巻き戻し軸を操作できるよう操作部を設けたことを特徴とするバランサー装置の巻き込み調整装置。
【請求項２】
上記ストップ駒のラチェット歯は主軸のラチェット歯と同形で逆向きの波形を有し、各ストップ駒のラチェット歯は、一方のストップ駒のラチェット歯が主軸のラチェット歯に噛み合っているとき、他方のストップ駒のラチェット歯は主軸のラチェット歯に対し半ピッチずれるように配置されていることを特徴とする請求項１に記載のバランサー装置の巻き込み調整装置。
【請求項３】
上記ストップ駒は組み合わせた状態で略円筒状になるよう略半円筒状に形成され、組み合わせ部の一部に上記巻き戻し軸の先端を挿入する空間を形成し、該空間に面して上記ストップ駒にドッグを設け、上記巻き戻し軸の両側に該巻き戻し軸を左右に回転した際上記ストップ駒を交互に移動できるよう上記ドッグに係合するカムを設けたことを特徴とする請求項１または２に記載のバランサー装置の巻き込み調整装置。
【請求項４】
上記主軸に雄ねじを設け、該雄ねじに螺合するナットを回転不能状態で主軸の軸方向に移動可能に設け、該ナットの移動量を指示するよう本体に窓部を設けたことを特徴とする請求項１から３のいずれかに記載のバランサー装置の巻き込み調整装置。
【請求項５】
上記請求項１から４のいずれかに記載の巻き込み調整装置を具備するバランサー装置を使用した上げ下げ障子。
【発明の詳細な説明】
【技術分野】
【０００１】
本発明は、上下に開閉する上げ下げ障子において、上げ下げ障子の重量とバランスする保持力を捻りコイルばねを巻回して発生させ、障子を軽い力で開閉させたり、任意の位置に停止保持できるようにしたバランサー装置において、上記捻りコイルばねの巻き込み量を変化させて保持力を調整できるようにしたバランサー装置の巻き込み量調整装置およびそれを用いた上げ下げ障子に関するものである。
【背景技術】
【０００２】
上げ下げ障子に使用するバランサー装置は、筒状のバランサーケースと、該ケースの先端側に回転可能に設けられたスリットを有する筒状の回転ガイドと、一端がケースに固定され他端が上記回転ガイドの外周に連結された捻りコイルばねと、上記回転ガイドのスリットに螺合状態で貫通し先端が上記ケースの外方に突出するスパイラルロッドを具備している。そして、捻りコイルばねの巻き込み量を調整する巻き込み調整装置が上記バランサー装置に併設されており、通常は、巻き込み調整装置の主軸に上記バランサーケースの後端を連結固定し、該巻き込み調整装置の本体を窓枠に取り付け、上記スパイラルロッドの先端を上げ下げ障子側に取り付けている。また、バランサーケースの後端を窓枠に固定し、巻き込み調整装置の本体を上げ下げ障子側に取り付け、該巻き込み調整装置の主軸にスパイラルロッドの先端を連結固定する場合もある（例えば特許文献１参照）。
【０００３】
そして、上記バランサー装置の巻き込み調整は、工場内で窓枠と上げ下げ障子の間にバランサー装置と巻き込み調整装置を取り付けた状態でバランサーの捻りコイルばねを巻き込み調整装置で予め巻き込み、上げ下げ障子を建屋に据え付けた後、上げ下げ障子の重量とバランスする保持力を発生するよう障子の操作状態を見ながら巻き込み巻き戻しの微調整を行っている。また、バランサー装置と巻き込み調整装置を組み込んだ上げ下げ障子を建屋に据え付けた後、巻き込み調整装置で捻りコイルばねを予め巻き込んでから、障子の操作状態を見ながら巻き込み巻き戻しの微調整を行うこともある。いずれにしても、最終的には建屋に上げ下げ障子を据え付けた状態で、該上げ下げ障子の開閉に要する操作力および任意の開口位置での停止保持状態を確認しながら巻き込み巻き戻しの微調整を行っている。
【０００４】
上記のように巻き込み調整装置は、上げ下げ障子と該障子を囲む窓枠間の狭い空間内に設けられているから、その調整作業は不安定な体勢で行わなければならず、非常に面倒で手間のかかる作業である。また、ほぼ障子の高さに近い長さのバランサー装置と調整装置が直列に取り付けられるため、該調整装置には大きな荷重が作用し、小さい部材にもかかわらず大きな剛性が要求される。さらに、巻き込み巻き戻しの微調整を行う際、巻き込み回数が分からなくなってしまうことがある。そのような実情に鑑み、ドライバー等で簡単に捻りコイルばねの巻き込み量を調整できるようにした装置も知られている（例えば上記特許文献１参照）。しかし、この装置はクリック部材のクリックをラチェットギアに噛合させてばねの回転力を保持する構成であるので、剛性が弱く、破損頻度が高い。回転子に爪を設けクラッチに噛合凹部を形成し、この爪と噛合凹部を噛合させて捻りばねの強いばね力を支えるようにした装置も提案されている（例えば特許文献２参照）が、ばね力を弛める調整のとき微小量ずつ巻き戻すことがむずかしいので、上げ下げ障子が落下するおそれがある。また、ばねの巻き込み量を表示できるようにした装置も知られているが（例えば特許文献３参照）、精度に乏しく、小さい容積内に組み込むことがむずかしく、簡単かつ経済的に得にくい。
【特許文献１】特許第３７４３５１０号公報（特許請求の範囲、図２、図５、図９、図１１、図１２）
【特許文献２】実公平３−２０４６９号公報（実用新案登録請求の範囲、３頁６欄９〜２１行、第４図、第９図）
【特許文献３】特許第３６９２２９１号公報（特許請求の範囲、図７、図１１）
【発明の開示】
【発明が解決しようとする課題】
【０００５】
本発明の解決課題は、上記のようなバランサー装置の巻き込み調整装置において、調整が容易でかつ捻りコイルばねの巻き込み量を保持する保持部を剛性のある構造にでき、調整の際に微少量ずつ捻りコイルばねを巻き戻しでき、回転数表示機構も容易に組み込むことができるバランサー装置の巻き込み調整装置を提供することである。
【課題を解決するための手段】
【０００６】
本発明によれば、筒状のバランサーケースの先端側にスリットを有する回転ガイドを回転可能に設け、該回転ガイドのスリットに螺合状態で貫通するねじ部を形成したスパイラルロッドを上記バランサーケースから引き出し可能に収納し、該スパイラルロッドとバランサーケースの相対的な移動に伴って巻き込み、巻き戻しされるようバランサーケース内に収納した捻りコイルばねの一端を上記バランサーケースの基端側に固定し他端を上記回転ガイドに連結して上げ下げ障子の重量とバランスする保持力を発生するようにしたバランサー装置において、上記捻りコイルばねの巻き込み、巻き戻しを行う巻き込み調整装置であって、巻き込み調整装置の本体内に上記バランサーケース若しくはスパイラルロッドに連結される主軸を設け、該主軸に歯車とラチェット歯を形成し、該主軸の歯車に噛み合う歯車を有する巻き込み軸を上記主軸と直交する方向に設けるとともに本体の外方から該巻き込み軸を回転操作できるよう巻き込み軸端に操作部を設け、上記主軸のラチェット歯の複数枚に噛み合うラチェット歯を有する一対のストップ駒を形成し、該ストップ駒をそのラチェット歯が上記主軸のラチェット歯に噛み合う方向に付勢するとともに各ストップ駒のラチェット歯が円周方向にずれて主軸のラチェット歯に噛み合うよう該ストップ駒を上記主軸の周囲に配置し、上記一方のストップ駒のラチェット歯が主軸のラチェット歯に噛み合いつつ他方のストップ駒のラチェット歯が主軸のラチェット歯から離れるようストップ駒を交互に移動させる巻き戻し軸を設け、該巻き戻し軸端に本体の外方から該巻き戻し軸を操作できるよう操作部を設けたことを特徴とするバランサー装置の巻き込み調整装置が提供され、上記課題が解決される。
【０００７】
また、本発明によれば、上記巻き込み調整装置のストップ駒のラチェット歯は、主軸のラチェット歯と同形で逆向きの波形を有し、各ストップ駒のラチェット歯は、一方のストップ駒のラチェット歯が主軸のラチェット歯に噛み合っているとき、他方のストップ駒のラチェット歯は主軸のラチェット歯に対し半ピッチずれるように配置され、上記巻き戻し軸の両側には該巻き戻し軸を左右に回転した際ストップ駒を交互に移動させることができるよう上記ストップ駒に形成したドッグに係合するカムが形成され、上記主軸には該主軸の回転に伴って直進運動するようナットが螺合され、該ナットの移動量により捻りコイルばねの巻き込み量を指示できるようにした上記バランサー装置の巻き込み調整装置が提供され、上記課題が解決される。
【発明の効果】
【０００８】
本発明は上記のように構成され、巻き込み調整装置の本体内に上記バランサーケース若しくはスパイラルロッドに連結される主軸を設け、該主軸に歯車とラチェット歯を形成し、該主軸の歯車にかみ合う歯車を有する巻き込み軸を主軸と直交する方向に設けるとともに本体の外方から該巻き込み軸を回転操作できるよう巻き込み軸端に操作部を設け、上記主軸のラチェット歯の複数枚に噛み合うラチェット歯を有する一対のストップ駒を形成し、該ストップ駒をそのラチェット歯が主軸のラチェット歯に噛み合う方向に付勢したので、巻き込み軸を回転し主軸を介して捻りコイルばねを巻き込んだとき、その巻き込み状態は主軸のラチェット歯とストップ駒のラチェット歯が複数枚噛み合うことにより保持され、大きな剛性があり、破損しにくい。
【０００９】
また、各ストップ駒のラチェット歯が円周方向にずれて主軸のラチェット歯に噛み合うよう該ストップ駒を上記主軸の周囲に配置し、上記一方のストップ駒のラチェット歯が主軸のラチェット歯に噛み合いつつ他方のストップ駒のラチェット歯が主軸のラチェット歯から離れるようストップ駒を交互に移動させる巻き戻し軸を設けたから、常にいずれかのストップ駒のラチェット歯が主軸のラチェット歯に噛み合っており、該巻き戻し軸を操作することによりストップ駒の噛み合いのずれに対応した分ずつ主軸を巻き戻し方向に少量回転させてその状態でストップさせることができ、微調整することが可能である。
【００１０】
さらに、該主軸の回転に伴って直進運動するよう主軸にナットを螺合し、該ナットの移動量により捻りコイルばねの巻き込み量（巻き込み回転数）を指示できるようにすれば、巻き込みの程度が容易に分かり、使用しやすく、しかも巻き込み調整装置内に簡単に組み込むことができ、経済的に得られる。
【発明を実施するための最良の形態】
【００１１】
本発明のバランサー装置は、各種の開閉機構、上げ下げ機構、その他の適宜の機構の適所に採用することができる。図１、図２は上げ下げ障子に本発明を適用した実施例を示し、窓枠１内に設けられた障子２は、縦枠３に沿って上下動可能に設けられ、障子が降下して閉鎖位置にある状態が図示されている。
【００１２】
上記障子２の荷重とバランスするように、上記窓枠１と障子２間にはバランサー装置４が設けられている。該バランサー装置４は、図３に示すように筒状のバランサーケース５を有し、該バランサーケースの先端には筒状の回転ガイド６が抜け止め状態で回転可能に設けられている。該回転ガイドにはスリット７が形成され、該スリット７にはスパイラルロッド８のねじ部９が螺合状態で貫通している。該スパイラルロッド８は、上記バランサーケース５から引き出し可能に設けられ、後端に向け止め用のピン１０を有し、先端には上記障子２の下框に固定した連結具１１に掛け止めるための取付ピン１２が設けられ、回転方向に拘束されて上下方向のみに、ケースから引き出されたり、引き込まれたりする。なお、バランサーケース５を障子２側に連結し、スパイラルロッド８を窓枠１側に連結してもよい。
【００１３】
図に示す実施例では、図３に示すように上記バランサーケース５の基端側に巻き込み調整装置１３が設けられ、該巻き込み調整装置１３は縦枠３にピン、ねじ等の固定具１４で取り付けられている。該巻き込み調整装置１３は図において下方に突出する主軸１５を具備し、該主軸１５に嵌着したアンカー１６と上記バランサーケース５がピン１７により主軸１５に固定されている。該アンカー１６と上記回転ガイド６の間には、捻りコイルばね１８の一端がアンカー１６の外周に固定され、該捻りコイルばね１８の他端は上記回転ガイド６の外周に固定されており、該捻りコイルばね１８の中心部を、回転ガイド６のスリットに螺合したスパイラルロッド８が出没する。この構成により上記バランサーケース５若しくはスパイラルロッド８が相対的に長手方向に移動すると上記回転ガイド６が回転し、その回転方向により上記捻りコイルばね１８は巻き込まれたり、巻き戻されたりして、巻き込み量が変化し、トルクが変化し、このトルクの変化が回転ガイド６を介して上記スパイラルロッド８に作用し、障子２の重量とバランスする保持力を発生させることができる。なお、上記巻き込み調整装置１３をスパイラルロッド８の先端側に設け、上記主軸１５にスパイラルロッド８を連結することもできる。
【００１４】
図４〜図６を参照し、上記巻き込み調整装置１３の本体１９は、図７に示すように半割状の本体部分１９ａ、１９ｂを組み合わせ、連結ピン１９ｃを対応する連結孔１９ｄに嵌入することにより一体的に構成され、該本体１９内に形成された縦穴２０内に上記主軸１５が回転可能に収納されている。該主軸１５は図８に示すように本体１９に形成した軸受溝２１に嵌合する軸部２２を有し、該軸部の一端は外径を大きく形成してその外周部正面に歯車２３を形成してある。また、該歯車２３の裏面外周部の正面には、傾斜面２４と垂直面２５を交互に形成したラチェット歯２６が設けられている。さらに、上記軸部２２には雄ねじ２７が形成され、他端近くには上記ピン１７を挿通するための孔２８が設けられている。該雄ねじ２７には、図９に示すようなナット２９が螺合され、該ナット２９は回転不能状態で主軸の軸方向に沿って移動するよう上記本体１９のガイド溝（図示略）に係合しており、本体１９の窓部３０に入り込む指示片３１を有している。
【００１５】
上記主軸１５と直交する方向には、一端の外径を大きくして外周部正面に上記主軸１５の歯車２３と噛み合う歯車３２を形成した巻き込み軸３３が設けられている（図１０）。該巻き込み軸３３は、上記本体１９の水平方向に延びる横穴３４に収納され、軸受溝３５に回転可能に嵌合し、その軸端には本体１９の外方から該巻き込み軸３５を回転操作できるよう操作部３６が設けられている。該操作部３６は図に示す実施例では、プラスドライバーの先端を挿入できるよう十字型の溝に形成してあるが、直線状の溝や六角孔、突起その他適宜の構造、形状に形成することができる。
【００１６】
上記主軸１５のラチェット歯２６の複数枚に噛み合うよう傾斜面３７と垂直面３８を有するラチェット歯３９を上端に形成した一対のストップ駒４０、４１が設けられている。該ストップ駒４０，４１は図１１に示すように組み合わせた状態で略円筒状になるようそれぞれ略半円筒状に形成され、組み合わせた部の一部を切り欠いて挿入空間４２を形成するとともに該挿入空間４２に面してそれぞれの下端にドッグ４３，４４が設けられ、上記主軸１５のラチェット歯２６に噛み合うよう押圧ばね４５で付勢されている。この際、各ストップ駒４０、４１は各ストップ駒のラチェット歯３９の垂直面３８が円周方向にずれて、例えば半ピッチずれて主軸１５のラチェット歯２６の垂直面２５に噛み合うよう上記主軸１５の周囲に配置される。この円周方向のずれは、１/３ピッチその他適宜に構成することができる。すなわち、円周方向のピッチのずれをαとすると、各ストップ駒のラチェット歯が、主軸のラチェット歯の円周方向ピッチｘ対し、ｎ×ｘ＋α（ｎは任意の整数）の円周ピッチ間隔になるように配すればよい。噛み合せをずらせるには、上記一対のストップ駒４０，４１の各ラチェット歯３９のピッチを同じに形成してもよいし（図１２）、ピッチをずらして、例えば半ピッチずらして形成してもよい（図１３）。また、該ストップ駒４０，４１は回転せずに上下動（主軸の軸方向に移動）できるように上記本体に保持されている。図に示す実施例では、該ストップ駒４０，４１の外周に突起４６を設け、該突起４６が上下動可能に嵌合する案内溝（図示略）を本体１９に設けて回転を阻止するようにしてあるが、ストップ駒に案内溝を形成し本体側に該案内溝に係合する突起を設けてもよい（図示略）。
【００１７】
上記構成により、どちらか一方のストップ駒４０，４１のラチェット歯３９が必ず主軸１５のラチェット歯２６の複数枚と噛み合って巻き込んだ状態の捻りコイルばね１８の戻りを阻止しているから、従来のものに比べて剛性を向上することができる。そして、上記捻りコイルばね１８を巻き込む方向に主軸１５を回転すると、主軸１５のラチェット歯２６の傾斜面２４が押圧ばね４５を押し退けつつストップ駒の傾斜面３７を滑らかに押し下げるため、捻りコイルばねを巻き込む方向に対して主軸を容易に回転することができる。
【００１８】
上記一対のストップ駒４０，４１間には、一方のストップ駒のラチェット歯３９が主軸１５のラチェット歯２６に完全に噛み合いながら他方のストップ駒のラチェット歯３９が主軸１５のラチェット歯２６から離れて該ストップ駒と主軸の係合が外れるよう上記ストップ駒４０，４１を交互に移動させるための巻き戻し軸４７が設けられている。該巻き戻し軸４７は、図１４に示す実施例では、上記挿入空間４２に差し込むことができる先端部４８を有し、左右に回転した際、上記ストップ駒４０，４１を交互に移動できるよう上記ドッグ４３，４４に係合するカム４９，５０を先端部の両側に形成し、軸方向に拘束された状態で本体１９の軸受溝５１に回転可能に嵌合しており、軸端には本体の外方から操作できるよう操作部５２が形成されている。この操作部５２は図に示す実施例では、プラスドライバーを挿入できるよう十字型の溝に形成してあるが、直線状の溝や六角孔、突起その他適宜の構造、形状に形成することができる。なお、上記ストップ駒にそれぞれ対応してストップ駒を移動可能な二つの巻き戻し軸を形成し、各巻き戻し軸を交互に操作するようにしてもよい（図示略）。
【００１９】
該巻き戻し軸４７を左右に回転すると、左右に形成された巻き戻し軸４７のカム４９，５０が交互にストップ駒４０，４１に形成したドッグ４３，４４を押圧ばね４５に抗して押し下げるため、主軸１５のラチェット歯２６とストップ駒４０，４１のラチェット歯３９が交互に離れ、図に示す実施例では、主軸１５に形成したラチェット歯２６の１/２ピッチづつ捻りコイルばね１８を巻き戻す方向に主軸１５が回転する。
【００２０】
上記構成により、本発明の巻き込み調整装置を使用して上記捻りコイルばねを巻き込むには、上記巻き込み軸３３の操作部３６にドライバーの先端を挿し込んで該巻き込み軸３３を回転させればよい。すなわち、巻き込み軸３３に形成された上記歯車３２が回転すると、主軸１５に形成されたラチェット歯２６の傾斜面２４が押圧ばね４５に抗してストップ駒４０，４１のラチェット歯３９の傾斜面３７を押し下げるため、主軸１５の歯車３２を回転させることができ、主軸１５に固定した上記バランサーケース５とアンカー１６が回転する。上記スパイラルロッド８が螺合している回転ガイド６はバランサーケース５の先端に軸方向に拘束された状態で回転可能に設けられ、スパイラルロッド８は回転不能状態に保持されているから、捻りコイルばね１８は巻き込まれる。このように、主軸１５のラチェット歯２６とストップ駒４０，４１のラチェット歯３９が複数枚噛み合った状態で主軸１５が回転するから、主軸１５の回転はストップ駒４０，４１により回転位置で確実に保持され、巻き戻るおそれはない。
【００２１】
また、捻りコイルばね１８を巻き戻すときには、上記巻き戻し軸４７を回転すればよい。この状態を図１２および図１３を参照して説明する。なお、各図はストップ駒と主軸のラチェット歯、歯車部、巻き戻し軸の関係を示す展開図であって、上記したように図１２に示す実施例では上記ストップ駒４０，４１のラチェット歯３９はピッチが同じに形成され、図１３に示す実施例ではピッチは半ピッチずれて設けられている点が相違しているだけで、動作は変わらないので、図１２を参照しながら説明する。
【００２２】
上記のように捻りコイルばねをねじ込んだ状態では、図１２のＡ若しくはＣのような状態になっている。説明の都合上、上記Ａの状態にあったとすると、押圧ばね４５で押圧されている一方ストップ駒４０のラチェット歯３９は主軸１５のラチェット歯２６の傾斜面２４及び垂直面２５に完全に噛み合っているのに対し、他方のストップ駒４１のラチェット歯３９は押圧ばね４５によって１５のラチェット歯２６の傾斜面２４を押し上げてはいるが垂直面２５には噛み合っていない。
【００２３】
そして、図１２Ｂに示すように、巻き戻し軸４７に形成した操作部５２にドライバーを差し込んで該巻き戻し軸４７を、図において時計回り方向に回転すると、巻き戻し軸４７のカム４９が押圧ばね４５に抗して一方のストップ駒４０のドッグ４３を押し下げ、主軸１５のラチェット歯２６から該ストップ駒４０のラチェット歯３９が離れるので、主軸は上記捻りコイルばねの作用で矢印５３方向（巻き戻し方向）に回転するが、他方のストップ駒４１が押圧ばね４５により付勢されているので、ラチェット歯３９が主軸１５のラチェット歯２６の傾斜面２４に沿って押し上がり、垂直面２５，３８同士が噛み合って回転が止まる。このようにして、主軸１５のラチェット歯２６とストップ駒４１のラチェット歯３９が完全に噛み合って停止するので、上記捻りコイルばね１８は上記ストップ駒４０，４１の円周方向のずれ分、図に示す実施例ではラチェット歯２６のピッチの半ピッチ分巻き戻され、それ以上の巻き戻しは阻止される。
【００２４】
上記図１２Ｂの状態から、ドライバーで巻き戻し軸４７を反時計方向に回転し若しくは操作部５２からドライバーを外して巻き戻し軸４７が押圧ばね４５により反時計方向に回転するのを許容させると、巻き戻し軸４７のカム４９，５０は、図１２Ｃに示すように、水平になる。その結果、上記一方のストップ駒４１と主軸１５の各ラチェット歯３９，２６は垂直面３８，２５及び傾斜面３７，２４が完全に係合した状態であるが、他方のストップ駒４０のラチェット歯３９の傾斜面３７は主軸１５のラチェット歯２６の傾斜面２４を押し上げた状態であり、垂直面３８は主軸１５のラチェット歯２６の垂直面２５に係合していない状態で停止する。
【００２５】
さらに、図１２Ｃの状態から巻き戻し軸４７を反時計方向に回転すると、巻き戻し軸４７のカム５０が押圧ばね４５に抗して一方のストップ駒４１のドッグ４４を押し下げ、該ストップ駒４１のラチェット歯３９は主軸１５のラチェット歯２６から離れ、主軸１５が矢印５３方向に回転するとともに他方のストップ駒４０は押圧ばね４５に押されているので、傾斜面２４に沿って上昇し、垂直面２５，３８同士が係合して主軸１５の回転が停止する（図１２Ｄ）。これにより、主軸１５はラチェット歯２６のピッチの半ピッチ分巻き戻され、それ以上の巻き戻しは阻止される。
【００２６】
以上のようにして、上記巻き戻し軸４７を左右（時計方向、反時計方向）に回転すると、一対のストップ駒４０，４１の円周方向の噛み合いずれに対応した分、実施例ではラチェット歯の半ピッチ分ずつ主軸１５を巻き戻して、捻りコイルばね１８の巻き込み量を調整することができる。
【００２７】
上記主軸１５には、上述したように、雄ねじ２７が形成され、この雄ねじ２７には回転不能状態でナット２９が螺合しているから、上記操作に伴って該ナット２９は主軸１５に沿って軸方向に移動する。本体１９にこのナットの移動量を視認でいるよう窓部３０を設け、窓部の周囲に適宜の目盛や数値５４を設けておくと、ナット２９の移動量が分かるから、主軸１５の回転数がはっきりわかり、捻りコイルばねの巻き込み量の調整が一層容易にできる。
【図面の簡単な説明】
【００２８】
【図１】障子を全閉した状態の正面図。
【図２】障子を全閉した状態の側面図。
【図３】バランサー装置の一部省略断面図。
【図４】本体部分の一方を外した状態の調整装置の斜視図。
【図５】本体部分の一部を断面した状態の調整装置の正面図。
【図６】本体部分の一方を外した状態の調整装置の側面図。
【図７】本体の分解斜視図。
【図８】主軸を示し、Ａは正面図、Ｂは平面図、Ｃは歯車裏面の底面図。
【図９】ナットの斜視図。
【図１０】巻き込み軸を示し、Ａは正面図、Ｂは側面図。
【図１１】ストップ駒を示し、Ａは正面図、Ｂは平面図、Ｃは背面図、Ｄは一方のストップ駒の左側面図、Ｅは他方のストップ駒の右側面図。
【図１２】ラチェット歯のピッチを同じにしたストップ駒と主軸のラチェット歯、歯車部、巻き戻し軸の関係を示す展開図
【図１３】ラチェット歯のピッチを１/２ずらしたストップ駒と主軸のラチェット歯、歯車部、巻き戻し軸の関係を示す展開図
【図１４】巻き戻し軸を示し、Ａは正面図、Ｂは平面図、Ｃは背面図、Ｄは側面図。
【符号の説明】
【００２９】
１    窓枠
２    障子
３    縦枠
４    バランサー装置
５    バランサーケース
６    回転ガイド
８    スパイラルロッド
１３  巻きこみ調整装置
１５  主軸
１８  捻りコイルばね
１９  本体
２２  軸部
２３  歯車
２６  ラチェット歯
３２  歯車
３３  巻き込み軸
３９  ラチェット歯
４０，４１  ストップ駒
４３，４４  ドッグ
４５  押圧ばね
４７  巻き戻し軸
４９，５０  カム
【図１】
2010112015.tif 000003
【図２】
2010112015.tif 000004
【図３】
2010112015.tif 000005
【図４】
2010112015.tif 000006
【図５】
2010112015.tif 000007
【図６】
2010112015.tif 000008
【図７】
2010112015.tif 000009
【図８】
2010112015.tif 000010
【図９】
2010112015.tif 000011
【図１０】
2010112015.tif 000012
【図１１】
2010112015.tif 000013
【図１２】
2010112015.tif 000014
【図１３】
2010112015.tif 000015
【図１４】
2010112015.tif 000016